(57)【要約】      （修正有）【課題】小型化、簡易化し、折り畳んでバッグ等に収納出来るポケット付き簡易防災頭巾を提供する。【解決手段】防災頭巾全体に複数のポケット状の収納スペースを設ける。【選択図】図１
0003177201.tif 000002
【実用新案登録請求の範囲】
【請求項１】
ポケット付き簡易防災頭巾に於いて、頭巾全体を縫合によりポケット状に区切りをつけポケットを設けた事により非常持出し品等や又、落下物より頭部を保護する衝撃吸収マットを収納する事を可能とした事を特徴とするポケット付き簡易防災頭巾。
【請求項２】
頭巾全体を縫合によりポケット状に区切り、顎紐、吊り下げロープ、集音の為の耳穴、個人情報等記入したカードを収納可能な笛と携帯ライトを取り付け可能なハトメによるホール及び輪にしたロープを設け、顎紐及びゴム紐をボタン及びホックに着脱するだけで、簡単に使用出来るようにした請求項１記載のポケット付き簡易防災頭巾。
【請求項３】
ポケット付き簡易防災頭巾を小型化したことにより折り畳んでバッグ等にも収納し、常に持ち運べる上、取扱いを簡易化した事により、より一層身近に備える事が出来る事を可能にした請求項１又は２記載のポケット付き簡易防災頭巾。
【考案の詳細な説明】
【技術分野】
【０００１】  本考案のポケット付き簡易防災頭巾は頭巾全体を縫合によりポケット状に区切りを付け、そのポケットの中に非常持出し品等や又、頭部を保護する衝撃吸収マットを収納し顎紐をボタン及びホックに着脱する事により、簡単に防災頭巾として使用する事ができ尚且つ、折り畳んでバッグ等に収納して持ち運べる大変画期的なポケット付き簡易防災頭巾である。又、いつ遭遇するか分からない、地震や災害による被害から少しでも身を守る為に、常に身近に備えておけるように在宅時、在校時は吊り下げロープで目立つ場所に常備し又、通勤通学時、外出時には持ち運べるようにしたポケット付き簡易防災頭巾に関するものである。
【背景技術】
【０００２】  現在、防災頭巾は在校生のみの使用が大部分であり、在校時に於いてもクッションとしての利用及び避難訓練時の使用しかなく非日常的な物である事からポケット付き簡易防災頭巾を考案した。いつ遭遇するか分からない非常事態に即対応出来るように顎紐及びゴム紐のボタン及びホックの着脱で簡単に防災頭巾として使用することができる。頭巾全体を縫合によりポケット状に区切った事により非常持出し品等を収納、常備しておくことが出来る上、折り畳んでバッグ等に収納し常に持ち運べる事を可能とした。又、緊急避難発生時等にも活用出来る個人情報等記入したカードを収納可能な笛と携帯ライト等を取り付けられるハトメによるホール及び輪にしたロープを設けてある。又、防災頭巾上部には落下物より頭部を保護する為の衝撃吸収マットを常時装備収納している今までにない優れた画期的なポケット付き簡易防災頭巾を考案した。【０００３】  従来の中綿のみで製作された防災頭巾と異なり、頭巾全体を縫合し、ポケット状に区切ってある為、ポケット状の中に落下物より頭部を保護する衝撃吸収マットを装備収納させ、非常持出し品等を日常的に収納常備しておける考案である。【０００４】  従来の中綿入りクッションのみの防災頭巾ではなく、児童及び成人用としてもデザイン、カラー、プリント等を考慮し、おしゃれ感も充実させると良い。
【考案の概要】
【考案が解決しようとする課題】
【０００５】  従来の中綿のみで製作された防災頭巾は通勤通学時、外出時には持ち歩きにくいのでいつ遭遇するか分からない非常時災害時等、防災頭巾としての役割が果たせないと考え、落下物より頭部を保護する衝撃吸収マットをポケット状に区切った防災頭巾の頭頂部のポケットの中に収納し、他のポケットには非常持出し品等を共に収納し、帰宅困難時、避難所や自宅に向かう時に大いに活用でき災害発生時、自分の身を守ることが出来るとポケット付き簡易防災頭巾を考案したものである。
【課題を解決する為の手段】
【０００６】  ポケット付き簡易防災頭巾の顎紐縫合部根元部分に個人情報等記入したカードを収納可能な笛を取り付ける為のハトメによるホール及び輪にしたロープを設けた事により現在は入手困難な個人情報を素早く提供する事により、他者よりの救助をより受けやすくする為に工夫した。
【０００７】  在宅時、在校時、通勤通学時、外出時と２４時間身近に備えておくことにより、自分の身を守る事が出来る上、誰人に於いても顎紐及びゴム紐をボタン及びホック等に着脱するだけで簡易かつ簡単に防災頭巾として使用する事が出来る。
【０００８】  頭巾全体を縫合によりポケット状に区切ってある為、ポケットの中に必要に応じた非常持出し品等や落下物より頭部を保護する衝撃吸収マットを常に収納しておける上、小型化し更に簡易化した事により折り畳んでバッグ等に収納出来るよう工夫した。
【０００９】  頭巾全体を縫合によりポケット状に区切りポケットの入口には対面にポケット１ヶ所につき少なくとも２枚ずつマジックテープ（登録商標）等で止められるようにしてあり、又、吊り下げロープ等で吊り下げてもポケットの中の収納物等の落下防止が出来る。
【考案の効果】
【００１０】  本考案のポケット付き簡易防災頭巾は頭巾全体を縫合によりポケット状に区切りを付けた複数のポケットの中に災害発生避難時等に最小限必要とする非常持出し品等や又、落下物等より頭部を保護する衝撃吸収マットを収納しておき尚且つ、顎紐及びゴム紐をボタン及びホック等に着脱するだけで誰人に於いても簡単に防災頭巾として使用出来る事を可能にした。又、上記衝撃吸収マットは図２のＡ、Ｂ、Ｃに示す構造で、衝撃を吸収する突起を表面全体に設けてある。尚、構造はこれに限らず衝撃の吸収性のある物を用いても良い。
【００１１】  本考案のポケット付き簡易防災頭巾は頭巾全体を縫合により、ポケット状に区切ったポケットの中に非常持出し品等や衝撃吸収マット等を収納出来るのみならず、日常的に通勤通学時、外出時は折り畳んでバッグ等にも収納でき、持ち運べる事を可能にした。
【００１２】  本考案のポケット付き簡易防災頭巾は在宅時、在校時に於いては防災頭巾頭部頂点に少なくとも１ヶ所に吊り下げロープを設けた事により常に身近に配置しておける事を可能にした。又、取扱いを簡易にしたことで、より一層身近に備える事が出来るようになった事により要介護者等の身近に常備し、要救護者等がより一層救助しやすくなる事を可能にした。
【００１３】  本考案のポケット付き簡易防災頭巾は頭巾全体を縫合によりポケット状に区切った複数のポケットの入口にはポケット１ヶ所につき２枚ないし、複数枚のマジックテープ（登録商標）等を取り付けてあり、ポケットの入口を塞ぐことにより非常持出し品等や又、衝撃吸収マットがポケットの中より落下する事を防ぐ事を可能にした。
【００１４】  本考案のポケット付き簡易防災頭巾はキルト地、デニム地、レザー地等の厚みのある生地を使用し４層に縫い合わせてあるので、丈夫であり尚且つ防水性、防炎性をもたせる事も可能でありデザイン、カラー、プリント地等おしゃれ感を出すことで成人用としても使用出来る事を可能にした。
【００１５】  従来の防災頭巾は表地ないし、裏地に個人情報等を布ないし、シールに記入し貼ってあるが、個人情報等を表面に出せない昨今の事情には合わないと考える。本考案のポケット付き簡易防災頭巾は住所、氏名、年齢、連絡先、血液型、持病等の個人情報等を記入したカードを収納可能な笛と携帯ライト等を装着させる為に、顎紐縫合部根元の少なくとも１ヶ所にハトメによるホール及び輪にしたロープを設けた事により、心身共に安心感を得られる事を可能にした。又、緊急避難時等に笛等使用した場合、他者よりの救助をより受けやすくすることを可能にした。
【図面の簡単な説明】
【００１６】
【図１】本考案ポケット付き簡易防災頭巾の外観図  Ａ．正面図  Ｂ．裏面図  Ｃ．開放上面斜視図
【図２】本考案ポケット付き簡易防災頭巾の頭部保護衝撃吸収マット図  Ａ．全面図  Ｂ．二つ折り図  Ｃ．断面図
【図３】本考案ポケット付き簡易防災頭巾時の衝撃吸収マット収納図  Ａ．展開図  Ｂ．正面図  Ｃ．裏面図
【図４】本考案ポケット付き簡易防災頭巾の折り畳み時外観図  Ａ．正面図  Ｂ．裏面図
【考案を実施する為の形態】
【００１７】  本考案のポケット付き簡易防災頭巾は本体をキルト地、デニム地、レザー地等を使用し、生地を２層に折り、生地をポケット状に横方向に間隔を開け複数箇所を縫い合わせてポケットを作成し、更に折り４層に重ねて縫合し、頭巾型となったところで、折り重ね輪になった部分には落下物等より頭部を保護する為の衝撃吸収マットを収納出来るようにし、他、複数箇所のポケット状の中に非常持出し品等を収納出来るようにした。又、防災頭巾として使用時、緊急避難時等、他者よりの誘導音が聞き取り易くなるよう少なくとも２ヶ所にハトメによる耳穴等を設けた。又、他者では現在入手困難な個人情報等を記入出来るカードを収納可能な笛と携帯ライト等を取り付けられるように顎紐縫合部根元の複数箇所にハトメによるホール及び輪にしたロープを設けた。防災頭巾として使用するには紐縫合部根元片面に設けてある顎紐及びゴム紐を対面に設けてあるボタン及びホック等に着脱するだけの簡単操作で使用出来るようにした。
【実施例】
【００１８】  本考案のポケット付き簡易防災頭巾はキルト地、デニム地、レザー地等を使用し、二つ折りにしたものを更に合わせ４層にして縫合し、更に頭巾の５、６の点線と８の一部の点線で示してある部分を横方向に縫合しポケット状に区切りを付け、頭巾全体に少なくとも１２、１３、１４、１５の４ヶ所のポケットを設けたことを特徴とする。【００１９】  防災頭巾使用時、頭巾下方部分に顎紐及びゴム紐を取り付けてあり、反対側の頭巾下方部分にボタン及びホック等を取り付け着脱することにより簡単操作で防災頭巾にとして使用出来る。【００２０】  頭巾全体を点線箇所及び一部点線箇所の少なくとも３ヶ所に示してある箇所を横方向に縫合し、ポケット状に区切ってあることからポケット状の中に非常持出し品等を収納し、又、落下物等より頭部を保護する衝撃吸収マットを収納できるようにした。【００２１】  又、防災頭巾を小型化した事により折り畳んでバッグ等に収納し持ち運びが出来ることを可能にした。【００２２】  又、通勤通学時、外出時はもとより顎紐縫合部根元内側９に個人情報等記入可能なカードを収納可能な笛、携帯ライト等を取り付けられるハトメによるホール及び輪にしたロープを設けた事により、日常的に緊急事態発生時にも即対応でき、安心安全を確保できる上、他者よりの救助等を受け易くした。【００２３】  防災頭巾使用時は緊急避難時等、外部からの誘導音等を聞き取りやすくする為に左右に少なくとも２ヶ所にハトメ等で耳穴を設けた。【００２４】  在宅時、在校時、身近に常備しておく場合１の吊り下げロープにより適所に配置及び吊り下げておける事を可能にした。【００２５】  又、１２、１３、１４、１５のポケット状の入口はマジックテープ（登録商標）等の開閉によりポケット内の収納品等の落下を防ぐ事を可能にした。
【産業上の利用可能性】
【００２６】  地震及び災害等頻発の昨今、非常持出し品等や又、落下物等より頭部を保護する衝撃吸収マットを収納して通勤通学時、外出時、在宅時、在校時と常に身近に常備しておける上、顎紐縫合部根元に取り付けてある顎紐及びゴム紐のボタン及びホック等の着脱で誰人に於いても簡単操作により防災頭巾として使用可能な至急各自で常備しておく必要性の高い画期的なポケット付き簡易防災頭巾であり、産業上の利用価値の高いものである。
【符号の説明】
【００２７】１    吊り下げロープ
２    集音耳穴ハトメ
３    顎紐及びゴム紐着脱用ボタン及びホック
４    顎紐及びゴム紐
５    ポケット状に縫合した部
６    ポケット状に縫合した部
７    キルト地４層縫合部
８    防災頭巾頭頂部一部縫合部
９    笛、ライト取り付け用ハトメによるホール及び輪にしたロープ
１０  ポケットスペース入口開閉マジックテープ（登録商標）
１１  衝撃吸収マット
１２  ポケットスペース部本体正面図上部
１３  ポケットスペース部本体正面図下部
１４  ポケットスペース部本体裏面図上部
１５  ポケットスペース部本体裏面図下部
【図１】
0003177201.tif 000003
【図２】
0003177201.tif 000004
【図３】
0003177201.tif 000005
【図４】
0003177201.tif 000006